(57)【要約】【課題】光源部の交換作業を簡単かつ確実に行う上で有利な投影装置を提供する。【解決手段】ねじ１２０６をねじ孔から取り外すことで、光源部１０は取り付け位置から下方に変位しあるいは下方に移動するが、上向き係止面５２と下向き係止面４２が係止することで前記第１の位置で係止保持される。光源部１０の下面を支えながら前記取り付け位置よりも下方で前記第１の位置よりも上方の箇所である第２の位置に持ち上げることにより、ロック爪５０の上向き係止壁５４と光源部１０の下向き係止壁４４の係止が解除されロック爪５０の収容部３２からの没入が許容される。光源部１０を第２の位置に支えつつロック爪５０を収容部３２から退避させた没入位置とすることで、上向き係止壁５４と下向き係止壁４４の係止が解除され、光源部１０を下げることにより光源部１０を収容部３２の外方に取り出すことができる。【選択図】図７
2007047268.tif 000002
【特許請求の範囲】
【請求項１】
光源部から出射された光束から画像投影光束を生成して出射する本体部と、
前記本体部を収容する筐体と、
前記筐体に設けられ前記筐体が天井に取り付けられた状態で前記筐体が下方に臨む面に開放状に形成され前記光源部を収容する収容部とを備え、
前記光源部は、前記収容部に収容された状態で固定手段により前記筐体に着脱可能に取り付けられる投影装置であって、
前記収容部に、前記光源部が前記収容部に収容され前記固定手段により前記筐体に取り付けられた前記光源部の取り付け位置よりも下方の第１の位置で前記光源部を係止保持する落下阻止機構が設けられ、
前記落下阻止機構は前記光源部と係脱可能に構成されている、
ことを特徴とする投影装置。
【請求項２】
前記落下阻止機構は、
前記光源部から鉛直方向と交差する方向に突設された係止片と、
前記筐体に設けられ鉛直方向と交差する方向で前記収容部に突出した突出位置と前記収容部から退避した没入位置との間で出没可能で前記突出位置に付勢されたロック爪とを備え、
前記係止片に、下方に臨む下向き係止面と、前記下向き係止面から下方に突設された下向き係止壁とが設けられ、
前記ロック爪に、前記ロック爪が前記突出位置に位置した状態で前記下向き係止面に係止可能で前記下向き係止面に係止することで前記光源部を前記第１の位置に係止保持する上向き係止面と、前記下向き係止面と前記上向き係止面とが係止された状態で前記下向き係止壁に係止可能で前記下向き係止壁に係止した状態で前記ロック爪の前記没入位置への移動を阻止する上向き係止壁とが設けられている、
ことを特徴とする請求項１記載の投影装置。
【請求項３】
前記係止片には、該係止片の先端に至るにつれて次第に下方に位置する斜め上向きのガイド面が形成され、前記ロック爪には、前記上向きガイド面に係合可能で前記上向きガイド面に係合した状態で前記係止爪が上方に移動すると前記ロック爪を前記収容部から退避させる方向に移動させる斜め下向きのガイド面が形成されていることを特徴とする請求項２記載の投影装置。
【請求項４】
前記第１の位置は、前記光源部が前記収容部内に位置している箇所であることを特徴とする請求項２記載の投影装置。
【請求項５】
前記落下阻止機構は、前記取り付け位置よりも下方で前記第１の位置よりも上方の第２の位置で前記光源部と係脱されることを特徴とする請求項２記載の投影装置。
【請求項６】
前記落下阻止機構は、
前記筐体と前記光源部とを連結するアーム機構と、
前記筐体と前記アーム機構との間に設けられたばねとを備え、
前記アーム機構は、複数のアームが折曲可能に連結され、前記光源部が取り付け位置に位置した状態で上下方向の寸法が短縮されて前記収容部に収容され、前記光源部の重量が掛かると上下方向の寸法が伸長するように構成され、
前記ばねは、前記光源部が取り付け位置に位置した状態で前記収容部に収容され、前記アーム機構に前記光源部の重量が掛かった状態で前記光源部を前記第１の位置に留めるように構成され、
前記アーム機構と前記光源部とは、前記光源部を支えつつ前記アームが折曲される面に対して直交する方向に前記アーム機構と前記光源部とを相対的に変位させることで係脱されるように連結されている、
ことを特徴とする請求項１記載の投影装置。
【請求項７】
前記第１の位置は、前記光源部が前記収容部の下方に離れた箇所であることを特徴とする請求項６記載の投影装置。
【発明の詳細な説明】
【技術分野】
【０００１】
本発明は投影装置に関する。
【背景技術】
【０００２】
スクリーンに光束を投影して画像を形成する投影装置がある。
投影装置は、光源部と、前記光源部から出射された光束から画像投影光束を生成して出射する本体部と、前記光源部と前記本体部を収容する筐体とを備えている。
そして、光源部として、光束を出射する光源と、この光源の発熱を冷却するための冷却フィン（ヒートシンク）を備え、これら光源と冷却フィンをハウジングに組み込んだものが提案されている（特許文献１参照）。
【特許文献１】特開２００５−３１５４９号公報
【発明の開示】
【発明が解決しようとする課題】
【０００３】
このような投影装置を天井壁に取り付けて使用する場合、光源の寿命により交換が必要となった際、投影装置を天井壁に取り付けたままで光源部を筐体に対して装脱できれば交換作業が簡単に行えて有利である。
投影装置を天井壁に取り付けたままで光源部を筐体に対して装脱するには、作業者が光源部の重量を支えつつ作業を行う必要がある。
近年、高画質な画像を得るため、光源部として出力の大きなものが用いられる傾向にあり、このような光源部は、例えば３ｋｇ程度の重量がある。
そのため、光源部を筐体から取り外す際に、支える光源部の重量がどの程度であるかが判断できれば、光源部の交換作業が簡単に確実に行えて有利となる。
本発明は、このような事情に鑑みなされたもので、その目的は光源部の交換作業を簡単かつ確実に行う上で有利な投影装置を提供することにある。
【課題を解決するための手段】
【０００４】
上記目的を達成するために、本発明は、光源部から出射された光束から画像投影光束を生成して出射する本体部と、前記本体部を収容する筐体と、前記筐体に設けられ前記筐体が天井に取り付けられた状態で前記筐体が下方に臨む面に開放状に形成され前記光源部を収容する収容部とを備え、前記光源部は、前記収容部に収容された状態で固定手段により前記筐体に着脱可能に取り付けられる投影装置であって、前記収容部に、前記光源部が前記収容部に収容され前記固定手段により前記筐体に取り付けられた前記光源部の取り付け位置よりも下方の第１の位置で前記光源部を係止保持する落下阻止機構が設けられ、前記落下阻止機構と前記光源部とは、前記取り付け位置よりも下方で前記第１の位置よりも上方の第２の位置で係脱されることを特徴とする。
【発明の効果】
【０００５】
本発明によれば、前記固定手段による光源部の筐体への取り付けを解除すると、光源部は下方に変位しあるいは下方に移動し、落下阻止機構により光源部は第１の位置に留められる。
そして、光源部と落下阻止機構との係合や連結を解除し、光源部を取り外す。
したがって、光源部を筐体から取り外す際に、支える光源部の重量がどの程度であるかが判断でき、光源部の交換作業が簡単に確実に行えて有利となる。
【発明を実施するための最良の形態】
【０００６】
（第１の実施の形態）
以下、本発明による投影装置の実施の形態を図面に基づいて詳細に説明する。
図１は第１の実施の形態の投影装置１００を机などの上に載置したときの斜視図、図２は投影装置１００を天井に取り付けるために上下を反転させ取付金具３１を装着した状態を示す斜視図、図３は天井に取り付けられた投影装置１００を斜め下方から見た斜視図、図４は投影装置１００から光源部１０を取り外した状態を示す斜視図である。
図３、図４に示すように、投影装置１００は、光源部１０から出射された光束から画像投影光束を生成して出射する本体部２０と、本体部２０を収容する筐体３０と、筐体３０に設けられ筐体３０が天井に取り付けられた状態で筐体３０が下方に臨む面に開放状に形成され光源部１０を収容する収容部３２とを備えている。
なお、投影装置１００は、机などの上に載置して用いられ、または、上下を逆にして天井に取り付けられて用いられ、本実施の形態では、上下は、天井に取り付けられた状態での上下をいい、左右は天井に取り付けられた状態で投影装置１００の前方から見ていうものとする。
光源部１０は、収容部３２に収容された状態で固定手段により筐体３０に着脱可能に取り付けられる。
収容部３２には、光源部１０が収容部３２に収容され前記固定手段により筐体３０に取り付けられた光源部１０の取り付け位置よりも下方において光源部１０に係止可能で光源部１０に係止することで光源部１０を取り付け位置よりも下方の第１の位置で係止保持する落下阻止機構が設けられている、
収容部３２は、光源部１０を装脱できるように、光源部１０よりも僅かに大きい輪郭で形成され、光源部１０が収容部３２内において前後左右方向に大きくがたつかない寸法で形成されている。
【０００７】
図１、図２に示すように、筐体３０は左右幅と、左右幅よりも大きい寸法の前後長さと、左右幅よりも小さい寸法の上下高さを有している。なお、図１、図３、図４では、筐体３０の下面および前面を透視して描いている。
図２に示すように、筐体３０には天井壁に取り付けるための取付金具３１が取り付けられている。
【０００８】
本体部２０は、例えば、光源部１０から出射された光束を平行光とする照明光学部と、照明光学部の平行光を波長が異なる複数の光束に分離する分離部と、複数の光束を画像情報に基づいて変調し合成して画像投影光束を生成する画像形成部と、前記画像投影光束をスクリーンに投影するための投射部とを含んでいる。
前記画像形成部は、例えば、赤色（Ｒ）、緑色（Ｇ）、青色（Ｂ）の３色の画像情報をそれぞれ表示する３つの透過型または反射型の液晶表示装置（液晶パネル）と、各液晶表示装置で３色の画像情報で変調された光束を合成して１つの画像投影光束を生成するクロスダイクロイックプリズムなどを有している。
図１に示すように、前記投射部を構成する投射レンズ２２は、筐体３０の前面に配設されている。
【０００９】
図５は光源部１０の斜視図、図６は光源部１０の上下を反転させた状態の斜視図である。
図７は光源部１０が取り付け位置に位置した状態を後方から見た説明図、図８は図７のＡ矢視図である。
図５、図６に示すように、光源部１０は、左右幅と、左右幅よりも小さい寸法の前後長さと上下高さを有するほぼ直方体状を呈するハウジング１２を備えている。
ハウジング１２の内部には、前方から見て幅方向の中心で上下方向の中間に光源１４が組み込まれ、光源１４は光軸を前方に向けた状態で配置されている。
本実施の形態では光源１４はキセノンランプで構成されている。
ハウジング１２内部における光源１４の両側箇所には、光源１４を冷却する熱伝導性の高い金属材料で形成された複数の冷却フィン１４０２が設けられ、各冷却フィン１４０２が前方および後方に臨むハウジング１２箇所は開放され、各冷却フィン１４０２の箇所を空気が前後に流通できるように構成されている。
図５に示すように、ハウジング１２の上面で幅方向の中央には前後方向に間隔をおいて２つの電極１４０４が設けられている。これら電極１４０４は、光源部１０が収容部３２に装着された状態で、筐体３０側に設けられた電源供給用の電極に電気的に接続されることで、電極１４０４を介して光源１４に電源が供給されるように構成されている。
図５、図６に示すように、ハウジング１２の上面の前縁と後縁には、光源部１４を収容部３２に取り付けるための取り付け片部１２０２が幅方向に間隔をおいて設けられている。各取り付け片部１２０２には、２つのねじ挿通孔１２０４がそれぞれ設けられ、各ねじ挿通孔１２０４にはねじ１２０６が落下不能に配設されている。
そして、図７、図８に示すように、光源部１０が収容部３２内に収容され、ねじ１２０６が筐体３０側のねじ孔（不図示）に螺合されることで、筐体３２に着脱可能に取り付けられ、この取り付けられた位置が光源部１０の取り付け位置となる。
したがって、本実施の形態では、取り付け片部１２０２、ねじ挿通孔１２０４、ねじ１２０６、前記ねじ孔が固定手段を構成している。
なお、図６において符号１２５０は、投影装置１００を机などの上に載置した状態で収容部３２に対して光源部１０を出し入れするための取っ手を示す。
【００１０】
前記落下阻止機構は、係止片４０とロック爪５０とを含んで構成されている。
係止片４０は、図５、図６に示すように、ハウジング１２の一側に位置する側面に設けられている。
詳細に説明すると、筐体３０が天井に取り付けられ収容部３２に光源部１０が収容されねじ１２０６で筐体３０に取り付けられた状態で、係止片４０は、光源部１０から鉛直方向と交差する方向に突設されている。本実施の形態では、係止片４０は、右方向に突設されている。
図５、図６に示すように、係止片４０は、下方に臨む下向き係止面４２と、下向き係止面４２から下方に突設された下向き係止壁４４とを有している。本実施の形態では、下向き係止面４２は、水平面上を延在している。
図５に示すように、係止片４０が上方に臨む箇所は複数のリブ４５でハウジング１２に接続され、これらリブ４５は、係止片４２の先端に到るにつれて次第に下方に位置する斜め上向きのガイド面４６を形成している。
【００１１】
図９は光源部１０が収容部３２に取り付けられた状態における係止片４０とロック爪５０の関係を示す斜視図、図１０（Ａ）、（Ｂ）はロック爪５０の取り付け構造を示す斜視図、図１１（Ａ）、（Ｂ）はロック爪５０の斜視図である。
ロック爪５０は、図７、図９に示すように、収容部３２を形成する筐体３０の側壁の下端に設けられている。
ロック爪５０は、鉛直方向と交差する方向で収容部３２に突出した突出位置と収容部３２から退避した没入位置との間で移動可能に設けられ前記突出位置に付勢されており、ロック爪５０には、図１１（Ａ）、（Ｂ）に示すように、上向き係止面５２と上向き係止壁５４とが形成されている。
上向き係止面５２は、ロック爪５０が前記突出位置に位置した状態で下向き係止面４２に係止可能で下向き係止面４２に係止することで光源部１０を前記第１の位置に係止保持するように構成され、すなわち、光源部１０が取り付け位置から下方に変位しあるいは下方に移動した際に下向き係止面４２に係止可能に構成され、下向き係止面４２に係止することで光源部１０が第１の位置に係止保持されるように構成されている。
上向き係止壁５４は、上向き係止面５２に設けられ下向き係止面４２と上向き係止面５２とが係止された状態で下向き係止壁４４に係止可能で下向き係止壁４４に係止した状態でロック爪５０の前記突出位置から前記没入位置への移動を阻止するように構成されている。
本実施の形態では、図１１（Ｂ）に示すように、上向き係止面５２は平面視コ字状の輪郭で形成されその内側が凹部となっており、上向き係止壁５４は、上向き係止面５２の先端部分で形成されている。
また、ロック爪５０の下面には、ユーザーがロック爪５０を没入操作させるための操作片５１が設けられている。
ロック爪５０の付勢は、図９、図１０（Ａ）、（Ｂ）に示すように、ねじりコイルばね５８により行われ、ねじりコイルばね５８は、筐体３０の壁部とロック爪５０とにわたって設けられている。
なお、ロック爪５０には不図示のストッパが設けられ、このストッパが筐体３０の壁部に当接することで、ロック爪５０の突出位置および没入位置が規制され、ロック爪５０は、ねじりコイルばね５８により常時突出位置に位置している。
【００１２】
本実施の形態では、図９、図１０（Ａ）、（Ｂ）に示すように、ロック爪５０の先端に到るにつれて次第に上方に位置し上向きガイド面４６に係合可能な斜め下向きガイド面５６が形成され、ロック爪５０が収容部３２に突出した状態で、光源部１０を収容部３２に挿入する際に下向きガイド面５６が上向きガイド面４６と係合し、ロック爪５０が収容部３２から退避するように構成されている。
【００１３】
次に、作用について説明する。
まず、光源部１０を収容部３２に取り付ける場合について説明する。
図４に示すように、ユーザーは、光源部１０を把持し、光源部１０の前後左右を筐体３０の前後左右に合致させた状態で、光源部１０を持ち上げ、光源部１０を収容部３２の下方から収容部３２の内部に挿入する。
すると、係止片４０の上向きガイド面４６がロック爪５０の下向きガイド面５６に係合し、ロック爪５０がいったん突出位置から没入位置に退避する。
光源部１０の上方への移動に伴い、上向きガイド面４６と下向きガイド面５６の係合が解除されると、ロック爪５０が突出され突出位置となる。
さらに、光源部１０を上方に移動し収容部３２の上端に当て付けることで電極１４０４を筐体３０側の電源供給用の電極に接続し、この状態で、ユーザーは、各ねじ挿通孔１２０４に挿通されたねじ１２０６を筐体３０側の壁部３００２（図７参照）のねじ孔に螺合する。
各ねじ１２０６を完全に締め付けると、図７に示すように、光源部１０は前記取り付け位置に位置した状態で収容部３２に取り付けられ、収容される。
以上で光源部１０の収容部３２への取り付け作業が完了する。
【００１４】
次に、光源部１０を収容部３２から取り外す場合について説明する。
まず、光源部１０を収容部３２に取り付けている各ねじ１２０６を緩めて筐体３０側のねじ孔から取り外す。
各ねじ１２０６をねじ孔から取り外すことで、図１２に示すように、光源部１０は前記取り付け位置から下方に変位しあるいは下方に移動するが、上向き係止面５２と下向き係止面４２が係止することで前記第１の位置に留まり、光源部１０は第１の位置に係止保持される。
次いで、図１３に示すように、ユーザーは光源部１０の下面を支えながら第２の位置に持ち上げる。ここで、第２の位置とは、前記取り付け位置よりも下方で前記第１の位置よりも上方の箇所であり、本実施の形態では、ロック爪５０の上向き係止壁５４の上端よりも光源部１０の下向き係止壁４４の下端が上方に位置した箇所である。
光源部１０を第２の位置に持ち上げることにより、ロック爪５０の上向き係止壁５４と光源部１０の下向き係止壁４４の係止が解除されるので、ロック爪５０の収容部３２からの没入が許容される。
ユーザーは光源部１０を第２の位置に支えつつ操作片５１に指を掛けロック爪５０を没入方向に操作し、ロック爪５０を収容部３２から退避させた没入位置とする。
これにより、ロック爪５０の上向き係止壁５４と光源部１０の下向き係止壁４４の係止が解除され、光源部１０を下げることにより光源部１０を収容部３２の外方に取り出すことができる。
以上で光源部１０の収容部３２からの取り外し作業が完了する。
【００１５】
本実施の形態によれば、光源部１０の取り外しの際、前記固定手段による光源部１０の取り付け状態を解除すると、光源部１０は取り付け位置よりも下方の第１の位置に留まり、この第１の位置において、いったん光源部１０を支えて第２の位置に持ち上げ、ロック爪５０を突出位置から没入位置にスライドさせる操作が必要となることから、ユーザーは光源部１０を取り外す前に光源部１０の重量を確実に認識することができ、光源部１０の重量が大きい場合であっても光源部１０の取り外し作業を確実に簡単に行う上で有利となる。
また、本実施の形態では、係止片４０に上向きガイド面４６を形成し、ロック爪５０に下向きガイド面５６を形成したので、光源部１０の収容部３２への取り付け時に、光源部１０を単に持ち上げる操作によりロック爪５０を突出位置から没入位置に移動させることができ、光源部１０の取り付け作業をより簡単に行う上で有利となる。
【００１６】
（第２の実施の形態）
次に第２の実施の形態について説明する。
図１４は第２の実施の形態における投影装置１００の光源部１０および落下阻止機構を示す斜視図、図１５は光源部１０が収容部３２に取り付けられた状態を下方から見た図、図１６は光源部１０が収容部３２から下方に変位した状態を示す説明図である。なお、以下では第１の実施の形態と同様の部分および部材については同一の符号を付して説明する。
第２の実施の形態が第１の実施の形態と異なるのは落下防止機構の構成であり、その他の構成は第１の実施の形態と同様である。
図１４乃至図１６に示すように、第２の実施の形態では、落下阻止機構は、アーム機構７０とばね８０とを含んで構成されている。
アーム機構７０は、筐体３０と光源部１０とを連結するものであり、ばね８０は筐体３０とアーム機構７０との間に設けられ、本実施の形態では、アーム機構７０は光源部１０のハウジング１２の左右両側にそれぞれ設けられている。
【００１７】
図１６に示すように、アーム機構７０は、複数のアームが折曲可能に連結されており、本実施の形態では上アーム７２と下アーム７４が連結されて構成されている。
上アーム７２は、その上端が収容部３２の天井面を構成する筐体３０の壁部３０１０に着脱可能に固定されている。
上アーム７２の下端と下アーム７４の上端は軸７３を介して折曲可能に連結されている。
図１４に示すように、下アーム７４の下端はハウジング１２の左右両側に着脱可能に連結されている。
詳細に説明すると、図１４に示すように、ハウジング１２の左右両側には前後に延在する長溝１２１０が設けられ、長溝１２１０の後端に、長溝１２１０の上下幅よりも大きい寸法の内径で孔部１２１２が設けられている。
一方、下アーム７４の下端には、長溝１２１０の上下幅よりも小さい寸法の軸７４０２を介して長溝１２１０の上下幅よりも大きい寸法の係止板７６が取着されている。
そして、係止板７６を孔部１２１２からハウジング１２の内部に挿入し、軸７４０２を長溝１２１０に位置させることで係止板７６を長溝１２１０の内側のハウジング１２内に位置させ、下アーム７４の下端を長溝１２１０に抜落不能に結合する。これにより、下アーム７４の下端は光源部１０に対して前後方向に滑動可能に結合される。
アーム機構７０は、光源部１０が取り付け位置に位置した状態で、下アーム７４が上方に揺動し上下方向の寸法が短縮されて収容部３２に収容され、光源部１０の重量が掛かると下アーム７４が下方に揺動し、上下方向の寸法が伸長するように構成されている。
【００１８】
図１６に示すように、ばね８０は、本実施の形態では引っ張りコイルばねで構成され、その上端が収容部３２の天井面を構成する筐体３０の壁部３０１０に着脱可能に連結され、その下端が下アーム７４の下端に連結されている。
ばね８０は、このばね８０に（下アーム７４の下端に）光源部１０の重量が掛かった状態で、光源部１０を取り付け位置よりも下方の第１の位置に留めるように構成されている。すなわち、光源部１０が取り付け位置に位置した状態でねじ１２０６（図１５参照）による固定を解除すると、光源部１０の重量がばね８０およびアーム機構７０に掛かり、アーム機構７０は下アーム７４が下方に揺動し光源部１０が下方に変位するが、この際、ばね８０の弾性力と光源部１０の重量が釣り合い、光源部１０を第１の位置に留めるように構成されている。
本実施の形態では、前記第１の位置は、図１６に示すように、光源部１０の上面が収容部３２よりも下方に離れた箇所である。
また、本実施の形態では、図１６、図１７に示すように、ハウジング１２の下面に、把手１２３０が軸１２３２を介して揺動可能に設けられ、把手１２３０を掴むことで光源部１０の取り付け取り外しを容易に行えるようにしている。
【００１９】
次に、作用について説明する。
まず、光源部１０を収容部３２に取り付ける場合について説明する。
図１６に示すように、ユーザーは、光源部１０の前後左右を筐体３０の前後左右に合致させた状態で、光源部１０を持ち上げて収容部３２の下方に位置させ、係止板７６を孔部１２１２からハウジング１２の内側に位置させ、次に、下アーム７４を左右に動かすことであるいは光源部１０を左右に動かすことで係止板７６を長溝１２１０の内側に位置させる。すなわち、下アーム７４が折曲される（揺動される）面に対して直交する方向にアーム機構７０と光源部１０とを相対的に変位させることで係止板７６を長溝１２１０の内側に位置させる。
次に、光源部１０を上方にさらに持ち上げる。このとき、下アーム７４は上方に揺動し、下アーム７４の下端（詳細には軸７４０２）は長溝１２１０内を前方に移動していく。
そして、光源部１０の上面を収容部３２の上端に当て付けることで電極１４０４を筐体３０側の電源供給用の電極に接続し、この状態で、ユーザーは、各ねじ挿通孔１２０４に挿通されたねじ１２０６を筐体３０側の壁部３０１０のねじ孔に螺合する。
各ねじ１２０６を完全に締め付けると、光源部１０は前記取り付け位置に位置した状態で収容部３２に取り付けられ、収容される。
以上で光源部１０の収容部３２への取り付け作業が完了する。
【００２０】
次に、光源部１０を収容部３２から取り外す場合について説明する。
まず、光源部１０を収容部３２に取り付けている各ねじ１２０６を緩めて筐体３０側のねじ孔から取り外す。
各ねじ１２０６をねじ孔から取り外すことで、図１６に示すように、光源部１０は前記取り付け位置から下方に変位しあるいは下方に移動する。このとき、下アーム７４は下方に揺動し、下アーム７４の下端（詳細には軸７４０２）は長溝１２１０内を後方に移動していく。
そして、落下阻止機構を構成するばね８０の弾性力と光源部１０の重量が釣り合い、光源部１０は第１の位置に留まり、光源部１０は第１の位置に係止保持される。
次に、図１６に示すように、ユーザーは、下アーム７４の下端を上下方向において静止させ、かつ、光源部１０の下面を支えながら上方に変位させ、次に、光源部１０を前方に移動して係止板７６を孔部１２１２内に位置させ、下アーム７４を左右に動かすことで（下アーム７４が折曲される面に対して直交する方向に動かすことで）あるいは光源部１０を左右に動かすことで（下アーム７４が折曲される面に対して直交する方向に動かすことで）係止板７６を孔部１２１２を通してハウジング１２の外側に移動させ、下アーム７４の下端と長溝１２１０の係合を解除する。あるいは、ユーザーは、光源部１０を上下方向において第１の位置に静止させ、かつ、下アーム７４の下端を下方に変位させ、次に、光源部１０を前方に移動して係止板７６を孔部１２１２内に位置させ、下アーム７４を左右に動かすことで（下アーム７４が折曲される面に対して直交する方向に動かすことで）あるいは光源部１０を左右に動かすことで（下アーム７４が折曲される面に対して直交する方向に動かすことで）係止板７６を孔部１２１２を通してハウジング１２の外側に移動させ、下アーム７４の下端と長溝１２１０の係合を解除する。
これにより、ユーザーは、光源部１０をアーム機構７０から取り外すことができ、光源部１０の収容部３２からの取り外し作業が完了する。
【００２１】
本実施の形態によれば、第１の実施の形態と同様に、前記固定手段による光源部１０の取り付け状態を解除すると、光源部１０は取り付け位置よりも下方の第１の位置に留まり、この第１の位置において、いったん光源部１０の重さを支えつつ下アーム７４の下端を光源部１０から取り外す操作が必要となることから、ユーザーは光源部１０の重さを確実に認識することができ、光源部１０の重量が大きい場合であっても光源部１０の取り外し作業を確実に行う上で有利となる。
また、本実施の形態では、ばね８０の下端を下アーム７４の下端に連結したので、光源部１０の取り付け取り外し作業を確実に行う上で有利となる。
また、本実施の形態では、前記第１の位置を、光源部１０の上面が収容部３２よりも下方に離れた箇所としたので、下アーム７４の下端と光源部１０との係脱をより簡単に行え、したがって、光源部１０の取り付け取り外し作業を確実に行う上で有利となる。
【００２２】
なお、図１８（Ａ）に示すように、第１の位置において、ハウジング１２の内部に臨むように筐体３０に下向きのガイド面３４０２を有する突起３４を設け、一方、係止板７６に下向きのガイド面３４０２に係合可能な上向きのガイド面７６０２を設け、光源部１０の取り外し時に、係止板７６を孔部１２１２に位置させ、図１８（Ａ）、（Ｂ）に示すように、光源部１０を左右方向に移動させ、下向きのガイド面３４０２に上向きのガイド面７６０２を係合させることで、孔部１２１２からの係止板の取り外しを簡単に行うことが可能となる。
【図面の簡単な説明】
【００２３】
【図１】第１の実施の形態の投影装置１００を机などの上に載置したときの斜視図である。
【図２】投影装置１００を天井に取り付けるために上下を反転させ取付金具３１を装着した状態を示す斜視図である。
【図３】天井に取り付けられた投影装置１００を斜め下方から見た斜視図である。
【図４】投影装置１００から光源部１０を取り外した状態を示す斜視図である。
【図５】光源部１０の斜視図である。
【図６】光源部１０の上下を反転させた状態の斜視図である。
【図７】光源部１０が取り付け位置に位置した状態を後方から見た説明図である。
【図８】図７のＡ矢視図である。
【図９】光源部１０が収容部３２に取り付けられた状態における係止片４０とロック爪５０の関係を示す斜視図である。
【図１０】（Ａ）、（Ｂ）はロック爪５０の取り付け構造を示す斜視図である。
【図１１】（Ａ）、（Ｂ）はロック爪５０の斜視図である。
【図１２】光源部１０が第１の位置に位置した状態を示す説明図である。
【図１３】ロック爪５０が没入位置に位置した状態を示す説明図である。
【図１４】第２の実施の形態における投影装置１００の光源部１０および落下阻止機構を示す斜視図である。
【図１５】光源部１０が収容部３２に取り付けられた状態を下方から見た図である。
【図１６】光源部１０が収容部３２から下方に降下した状態を示す説明図である。
【図１７】光源部１０の把手を引き降ろした状態を示す説明図である。
【図１８】（Ａ）、（Ｂ）は係止板７６の取り外し構造の一例を示す説明図である。
【符号の説明】
【００２４】
１０……光源部、２０……本体部、３０……筐体、３２……収容部、４０……係止片４０、５０……ロック爪、１００……投影装置。
【図１】
2007047268.tif 000003
【図２】
2007047268.tif 000004
【図３】
2007047268.tif 000005
【図４】
2007047268.tif 000006
【図５】
2007047268.tif 000007
【図６】
2007047268.tif 000008
【図７】
2007047268.tif 000009
【図８】
2007047268.tif 000010
【図９】
2007047268.tif 000011
【図１０】
2007047268.tif 000012
【図１１】
2007047268.tif 000013
【図１２】
2007047268.tif 000014
【図１３】
2007047268.tif 000015
【図１４】
2007047268.tif 000016
【図１５】
2007047268.tif 000017
【図１６】
2007047268.tif 000018
【図１７】
2007047268.tif 000019
【図１８】
2007047268.tif 000020